(57)【要約】【課題】個人情報の外部流出に係るコストを最小限に抑えつつ、懸賞の実施期間を予定通に終了させることができ、かつ、懸賞への応募を特定の者に制限することもできるようにする。【解決手段】まず、端末３０の端末ユーザから代理店サーバ１０がユーザ簡易情報を受信して格納し、その後、懸賞の応募条件と一致するユーザ簡易情報を持つ端末ユーザからの応募を代理店サーバ１０が受信し、その後、代理店サーバ１０が応募者の中から当選者を抽出し、その後、懸賞実施主サーバ２０が当選者からユーザ詳細情報を受信して格納するようにしている。これにより、応募者全員でなく当選者のみから個人情報を収集することができるようにする。また、応募期間中に当選者数が予定数に達するという事態を回避することができ、かつ、懸賞の応募ページを特定の者のみに送信することもできるようにする。【選択図】        図１
2009086778.tif 000002
【特許請求の範囲】
【請求項１】
端末を使用する端末ユーザに関する簡易な情報であるユーザ簡易情報と上記端末を識別する識別情報とを上記端末から受信するユーザ簡易情報受信部と、
上記ユーザ簡易情報受信部によって受信された上記ユーザ簡易情報と上記識別情報とを対応付けて格納するユーザ簡易情報格納部と、
懸賞への応募条件と一致する上記ユーザ簡易情報に対応付けて上記ユーザ簡易情報格納部に格納された上記識別情報により識別される端末である応募条件一致端末に、懸賞への応募を受け付ける応募ページを送信する応募ページ送信部と、
上記応募ページを介して上記識別情報を含む応募情報を上記応募条件一致端末から受信する応募情報受信部と、
上記応募情報受信部によって受信された上記応募情報を格納する応募情報格納部と、
上記応募情報格納部に格納された上記応募情報のなかから所定数を当選情報として抽出する当選情報抽選部と、
上記当選情報抽選部によって抽出された上記当選情報に含まれる上記識別情報により識別される端末である当選端末に、上記端末ユーザに関する詳細な情報であるユーザ詳細情報の入力を受け付ける詳細入力ページを送信する詳細入力ページ送信部と、
上記詳細入力ページを介して上記ユーザ詳細情報を上記当選端末から受信するユーザ詳細情報受信部と、
上記ユーザ詳細情報受信部によって受信された上記ユーザ詳細情報を格納するユーザ詳細情報格納部とを備えたことを特徴とする懸賞システム。
【請求項２】
上記ユーザ簡易情報受信部は、上記端末からの要求に応じて上記端末に送信されたプログラムを上記端末上で動作させるために上記端末ユーザによって入力された上記ユーザ簡易情報と上記端末上で自動生成された上記識別情報とを上記端末から受信し、
上記応募ページ送信部は、上記端末が上記応募条件一致端末である場合に上記プログラムにより上記端末上に出力される上記応募ページへのリンク情報が上記端末ユーザによって選択されたときに上記端末から送信される要求に応じて、上記端末に上記応募ページを送信し、
上記詳細入力ページ送信部は、上記端末が上記当選端末である場合に上記プログラムによって上記端末上に出力される上記詳細入力ページへのリンク情報が上記端末ユーザによって選択されたときに上記端末から送信される要求に応じて、上記端末に上記詳細入力ページを送信することを特徴とする請求項１に記載の懸賞システム。
【請求項３】
上記応募ページへのリンク情報と上記応募条件一致端末を識別する上記識別情報とを対応付けて格納するリンク情報格納部と、
上記プログラムを介して上記端末からアクセスがあった場合に、上記プログラムが動作する上記端末を識別する上記識別情報に対応付けて上記リンク情報格納部に格納された上記リンク情報を上記端末に送信するリンク情報送信部とを更に備えたことを特徴とする請求項２に記載の懸賞システム。
【請求項４】
上記詳細入力ページへのリンク情報と上記当選端末を識別する上記識別情報とを対応付けて格納するリンク情報格納部と、
上記プログラムを介して上記端末からアクセスがあった場合に、上記プログラムが動作する上記端末を識別する上記識別情報に対応付けて上記リンク情報格納部に格納された上記リンク情報を上記端末に送信するリンク情報送信部とを更に備えたことを特徴とする請求項２に記載の懸賞システム。
【発明の詳細な説明】
【技術分野】
【０００１】
本発明は、懸賞システムに関し、特に、インターネット上で懸賞を行う懸賞システムに関する。
【背景技術】
【０００２】
今日では、多くの企業が販売促進活動の一環としてインターネット上で新商品などの特長、イメージなどを外部に訴求するＷｅｂページを公開している。また、当該Ｗｅｂページへのアクセス数増加などを目的として、インターネット上で当該新商品などに関連する懸賞を併せて実施する企業も少なくない。
【０００３】
インターネット上で実施する懸賞は、当選者に特典を与えるときに用いる個人情報（例えば、商品を特典として与える場合には、住所および氏名）を収集しなければならないが、懸賞の応募時点で個人情報を収集する実施態様と、応募時点では個人情報を収集せず当選後に個人情報を収集する実施態様とがある。なお、当選後に個人情報を収集する実施態様では、通常、応募毎に直ちに、予め設定した当選確率により抽選を実施し当落を確定させる（例えば、応募に係るｈｔｔｐリクエストに対し、乱数などを用いて当落を即時決定し、当落結果に係るｈｔｔｐレスポンスを返す）。複数の応募者を集めてから抽選を実施し当落を確定させると、当選者に当選したことを伝えようにも応募時点において個人情報を収集していないため当選者への連絡手段がないからである。
【０００４】
なお、個人情報の入力を促す手段と、賞品に対する応募の入力を促す手段と、ある賞品に対して応募がなされたことを個人情報と関連付けて記憶する手段とを備えた懸賞システムが開示されている（例えば、特許文献１参照）。また、クライアント装置から応募を受けたら即時に懸賞の抽選を実行し、当選したクライアント装置に個人情報記入フォーム画面を送信する抽選システムが開示されている（例えば、特許文献２参照）。
【特許文献１】特開２００２−０４９７２１号公報
【特許文献２】特開２００２−０２４４６８号公報
【０００５】
しかしながら、インターネット上で実施する懸賞には以下のような問題がある。まず、懸賞の応募時点で個人情報を収集する実施態様の場合、懸賞実施企業において、結果的に落選する者の個人情報をも予め収集することとなるので、個人情報が外部に流出した時の損失、および、個人情報の外部流出を防止するためのコストが大きくなるという問題がある。
【０００６】
次に、当選後に個人情報を収集する実施態様の場合、上述の如く、予め設定した当選確率によって、応募者一人ひとり直ちに抽選を実施するので、想定した応募数と実際の応募数との乖離などにより、懸賞の実施期間が予定通りとならない場合がある（例えば、想定した応募数よりも実際の応募数が多い場合、予定よりも早く当選者数が予定数に達するため懸賞の実施期間が予定よりも短くなる）という問題がある。また、一般に、懸賞の応募時点で個人情報を収集しないので、懸賞への応募を特定の者に制限することが困難であるという問題がある。
【発明の開示】
【発明が解決しようとする課題】
【０００７】
本発明は、このような問題を解決するために成されたものである。すなわち、個人情報が外部に流出した時の損失、および、個人情報の外部流出を防止するためのコストが大きくなるという問題、並びに、懸賞の実施期間が予定通りとならない場合があるという問題、および、懸賞への応募を特定の者に制限することが困難であるという問題を解決することを目的とする。
【課題を解決するための手段】
【０００８】
まず、ユーザからユーザ簡易情報を受信して格納し、その後、懸賞の応募条件と一致するユーザ簡易情報を持つユーザからの応募を受信し、その後、応募者の中から当選者を抽出し、その後、当選者からユーザ詳細情報を受信して格納するようにしている。
【発明の効果】
【０００９】
上記のように構成した本発明によれば、応募者全員でなく当選者のみから個人情報（ユーザ詳細情報）を収集することができる。これにより、懸賞の実施に際して収集する個人情報（ユーザ詳細情報）の件数を最小限に抑えることができるので、個人情報（ユーザ詳細情報）の外部流出に係るコストを最小限に抑えることができる。また、応募情報格納部に応募情報が順次格納されていき、ある時点で格納されている応募情報の中から抽選が行われるので、応募期間中に当選者数が予定数に達するという事態を回避することができる。これにより、懸賞の実施期間を予定通り終了させることができる。また、懸賞の応募ページを特定の者（懸賞の応募条件と一致するユーザ簡易情報を持つ端末ユーザ）のみに送信することができる。これにより、懸賞への応募を特定の者（懸賞の応募条件と一致するユーザ簡易情報を持つ端末ユーザ）に制限することもできる。
【発明を実施するための最良の形態】
【００１０】
以下、本発明の一実施形態を図面に基づいて説明する。図１は、本実施形態の懸賞システム５の構成例を示す図である。図２は、懸賞基礎情報、表示基礎情報の一例を示す図である。懸賞システム５は、図１に示すように、代理店サーバ１０および懸賞実施主サーバ２０から構成される。代理店サーバ１０、懸賞実施主サーバ２０および端末３０は、インターネットを介して相互に通信する。なお、端末３０は、複数の端末のうちの任意の１台を示すものである。
【００１１】
懸賞実施主サーバ２０は、懸賞を実施する懸賞実施主のサーバであって、ページ格納部２００、ユーザ詳細情報格納部２１０、応募ページ送信部２２０、詳細入力ページ送信部２３０、ユーザ詳細情報受信部２４０、懸賞基礎情報受信部２５０および懸賞基礎情報送信部２６０を備える。また、懸賞実施主サーバ２０は、端末３０に送信すべきプログラムを格納するプログラム格納部（非図示）、および、当該プログラムを送信すべき旨の要求を受け付けて当該プログラムを送信するプログラム送信部（非図示）を更に備える。
【００１２】
代理店サーバ１０は、懸賞実施主からの依頼により懸賞の実施の一部を代理する代理店のサーバであって、ユーザ簡易情報格納部１００、応募情報格納部１１０、表示基礎情報格納部１２０、懸賞基礎情報格納部１３０、ユーザ簡易情報受信部１４０、応募情報受信部１５０、当選情報抽出部１６０、リンク関連情報送信部１７０、懸賞基礎情報受信部１８０および表示基礎情報生成部１９０を備える。
【００１３】
端末３０は、ブラウザ３００、プログラムインストール部（非図示）、および、懸賞実施主サーバ２０から受信したリンク情報表示プログラム３１０を備える。
【００１４】
懸賞実施主サーバ２０のページ格納部２００は、端末３０を使用するユーザ（以下、「端末ユーザ」という）から懸賞への応募を受け付けるＷｅｂページ（以下、「応募ページ」という）、および、端末ユーザに関する詳細な情報（以下、「ユーザ詳細情報」という）の入力を受け付けるＷｅｂページ（以下、「詳細入力ページ」という）を格納する。
【００１５】
懸賞実施主サーバ２０の懸賞基礎情報受信部２５０は、懸賞の基礎情報（以下、「懸賞基礎情報」という）を受信する。例えば、懸賞基礎情報受信部２５０は、懸賞実施主サーバ２０にネットワーク経由で接続する懸賞実施主の社内端末（非図示）から、懸賞基礎情報を受信する。
【００１６】
懸賞基礎情報受信部２５０が受信する懸賞基礎情報は、具体的には、図２（ａ）に示すように、懸賞の識別情報（以下、「懸賞ＩＤ」という）、応募ページ関連情報および詳細入力ページ関連情報を含む。応募ページ関連情報は、ＵＲＩ（（応募ページのＵＲＩ）、文言、期限および応募条件情報（一例として、性別、年齢を含む）を含む。詳細入力ページ関連情報は、ＵＲＩ（詳細入力ページのＵＲＩ）、文言および期限を含む。懸賞基礎情報受信部２５０は、受信した懸賞基礎情報を懸賞基礎情報送信部２６０に供給する。
【００１７】
懸賞実施主サーバ２０の懸賞基礎情報送信部２６０は、懸賞基礎情報を懸賞基礎情報受信部２５０から取得する。懸賞基礎情報送信部２６０は、懸賞基礎情報受信部２５０から取得した懸賞基礎情報を代理店サーバ１０の懸賞基礎情報受信部１８０に送信する。
【００１８】
代理店サーバ１０の懸賞基礎情報受信部１８０は、懸賞基礎情報を懸賞基礎情報送信部２６０から受信する。懸賞基礎情報受信部１８０は、懸賞基礎情報送信部２６０から受信した懸賞基礎情報を懸賞基礎情報格納部１３０に格納する。
【００１９】
端末３０は、リンク情報表示プログラム３１０を懸賞実施主サーバ２０から受信する。具体的には、端末３０は、ブラウザ３００を介して端末ユーザからリンク情報表示プログラム３１０を受信すべき旨の入力を受け付けた場合、懸賞実施主サーバ２０のプログラム送信部にリンク情報表示プログラム３１０を要求し、プログラム送信部からリンク情報表示プログラム３１０を受信する。なお、リンク情報表示プログラム３１０は、例えば、Ｊａｖａ（登録商標）仮想マシン上で動作するプログラムである。
【００２０】
リンク情報表示プログラム３１０を受信した端末３０は、端末ユーザによって入力された端末ユーザに関する簡易な情報（以下、「ユーザ簡易情報」という）、および、端末３０上で自動生成された端末３０を識別する識別情報（本発明の「端末識別情報」に相当する。以下、「端末ＩＤ」という）を代理店サーバ１０のユーザ簡易情報受信部１４０に送信する。これにより、端末３０は、懸賞実施主サーバ２０から受信したリンク情報表示プログラム３１０を動作させることが可能となる（インストールが完了する）。
【００２１】
具体的には、端末３０のプログラムインストール部は、リンク情報表示プログラム３１０をインストールする際に、端末ユーザからユーザ簡易情報を取得するとともに、端末３０のＭＡＣアドレスなどに基づいて端末３０の端末ＩＤを自動生成する。そして、プログラムインストール部は、端末ユーザから取得したユーザ簡易情報と生成した端末ＩＤとを代理店サーバ１０のユーザ簡易情報受信部１４０に送信する。また、端末３０のプログラムインストール部は、生成した端末ＩＤをリンク情報表示プログラム３１０などが参照する領域に格納する。なお、リンク情報表示プログラム３１０の機能については後述する。
【００２２】
代理店サーバ１０のユーザ簡易情報受信部１４０は、ユーザ簡易情報と端末ＩＤとを端末３０から受信する。ユーザ簡易情報受信部１４０は、端末３０から受信したユーザ簡易情報と端末ＩＤとを対応付けてユーザ簡易情報格納部１００に格納する。
【００２３】
代理店サーバ１０の表示基礎情報格納部１２０は、応募ページおよび詳細入力ページへのリンクの表示に関する基礎情報（以下、「表示基礎情報」という）を格納する。表示基礎情報格納部１２０に格納される表示基礎情報は、具体的には、図２（ｂ）（ｃ）に示すように、リンク関連情報および端末ＩＤを含む。リンク関連情報は、懸賞ＩＤ、リンク情報および期限を含む。リンク情報は、ＵＲＩ（応募ページまたは詳細入力ページのＵＲＩ）および文言を含む。なお、表示基礎情報格納部１２０が格納する表示基礎情報は、表示基礎情報生成部１９０により生成されるが、表示基礎情報生成部１９０による表示基礎情報の生成については後述する。
【００２４】
端末３０上で動作するリンク情報表示プログラム３１０は、定期的（例えば２時間毎）に、代理店サーバ１０のリンク関連情報送信部１７０にアクセスする。具体的には、リンク情報表示プログラム３１０は、リンク関連情報を端末３０に送信すべき旨の要求（当該端末３０の端末ＩＤを情報として含む）をリンク関連情報送信部１７０に送信する。リンク情報表示プログラム３１０は、リンク関連情報送信部１７０にアクセスすることにより、代理店サーバ１０の表示基礎情報格納部１２０に格納されている表示基礎情報に含まれるリンク関連情報を、リンク関連情報送信部１７０から受信する。
【００２５】
リンク情報表示プログラム３１０は、リンク関連情報をリンク関連情報送信部１７０から受信した場合、リンク関連情報内のリンク情報に含まれるＵＲＩ（応募ページまたは詳細入力ページのＵＲＩ）と文言とを対応付けるとともに、ＵＲＩに対応付けられた文言を端末３０の表示画面に表示する。なお、リンク情報表示プログラム３１０は、リンク関連情報に含まれる期限までリンク情報（文言）を表示する。
【００２６】
リンク情報表示プログラム３１０は、リンク情報に含まれる文言を表示画面に表示している場合に、表示中の文言が端末ユーザによって選択されたときは、選択された文言に対応付けられたＵＲＩなどをブラウザ３００に供給する。ブラウザ３００は、リンク情報表示プログラム３１０から取得したＵＲＩの応募ページまたは詳細入力ページを端末３０に送信すべき旨の要求を、懸賞実施主サーバ２０の応募ページ送信部２２０または詳細入力ページ送信部２３０に送信する。
【００２７】
代理店サーバ１０のリンク関連情報送信部１７０は、端末３０のリンク情報表示プログラム３１０からアクセスを受け付ける。具体的には、リンク関連情報送信部１７０は、リンク関連情報を端末３０に送信すべき旨の要求をリンク情報表示プログラム３１０から受信する。リンク関連情報送信部１７０は、リンク関連情報を端末３０に送信すべき旨の要求をリンク情報表示プログラム３１０から受け付けた場合、当該端末３０の端末１Ｄが表示基礎情報格納部１２０に格納されているか否かを判断し、当該端末３０の端末１Ｄが表示基礎情報格納部１２０に格納されている場合には、当該端末３０の端末ＩＤに対応付けられているリンク関連情報を当該端末３０のリンク情報表示プログラム３１０に送信する。
【００２８】
代理店サーバ１０の表示基礎情報生成部１９０は、懸賞基礎情報格納部１３０に格納された懸賞基礎情報、並びに、ユーザ簡易情報格納部１００に格納されたユーザ簡易情報および端末ＩＤに基づいて、応募ページへのリンクに関する表示基礎情報を生成する。具体的には、まず、表示基礎情報生成部１９０は、懸賞基礎情報格納部１３０に格納された懸賞基礎情報内の応募ページ関連情報に含まれる応募条件情報と、ユーザ簡易情報格納部１００に格納されたユーザ簡易情報とを参照し、ユーザ簡易情報格納部１００に格納された端末ＩＤのうち、応募条件情報に一致するユーザ簡易情報に対応付けられた端末ＩＤ（以下、当該端末ＩＤにより識別される端末３０を「応募条件一致端末」という）を抽出する。次に、表示基礎情報生成部１９０は、懸賞基礎情報に含まれる懸賞ＩＤ、懸賞基礎情報内の応募ページ関連情報に含まれるＵＲＩ（応募ページのＵＲＩ）、文言および期限、並びに、抽出した端末ＩＤ（応募条件一致端末の端末ＩＤ）を対応付けて結合することにより、図２（ｂ）に示す表示基礎情報を生成する。
【００２９】
更に、表示基礎情報生成部１９０は、応募ページへのリンクに関する表示基礎情報を生成することに加え、懸賞基礎情報格納部１３０に格納された懸賞基礎情報、および、当選情報抽出部１６０から取得した当選情報（後述）に基づいて、詳細入力ページへのリンクに関する表示基礎情報を生成する。具体的には、表示基礎情報生成部１９０は、懸賞基礎情報に含まれる懸賞ＩＤ、懸賞基礎情報内の詳細入力ページ関連情報に含まれるＵＲＩ（詳細入力ページのＵＲＩ）、文言および期限、並びに、当選情報抽出部１６０から取得した当選情報に含まれる端末ＩＤ（以下、当該端末ＩＤにより識別される端末３０を「当選端末」という）を対応付けて結合することにより、図２（ｃ）に示す表示基礎情報を生成する。
【００３０】
表示基礎情報生成部１９０は、図２（ｂ）または図２（ｃ）のように、生成した表示基礎情報を表示基礎情報格納部１２０に格納する。なお、表示基礎情報生成部１９０は、リンク関連情報に含まれる期限を越えた表示基礎情報を表示基礎情報格納部１２０から削除する。
【００３１】
懸賞実施主サーバ２０の応募ページ送信部２２０は、ページ格納部２００に格納されている応募ページを応募条件一致端末である端末３０に送信する。具体的には、応募ページ送信部２２０は、リンク情報表示プログラム３１０によって端末３０上に表示されたリンク情報（応募ページのＵＲＩに対応付けられた文言）が端末ユーザによって選択されたときに端末３０のブラウザ３００から送信される要求（応募ページを端末３０に送信すべき旨の要求）に応じて、ブラウザ３００に応募ページを送信する。なお、応募条件一致端末である端末３０上で動作するリンク情報表示プログラム３１０は、応募ページに係るリンク情報を含むリンク関連情報をリンク関連情報送信部１７０から受信し、リンク情報（応募ページのＵＲＩに対応付けられた文言）を表示画面に表示している。
【００３２】
応募条件一致端末である端末３０のブラウザ３００は、応募ページを応募ページ送信部２２０から受信した場合、応募ページ送信部２２０から受信した応募ページを表示画面に表示する。
【００３３】
代理店サーバ１０の応募情報受信部１５０は、応募ページを介して、懸賞に応募する旨の情報（以下、「応募情報」という）を応募条件一致端末である端末３０のブラウザ３００から受信する。応募情報受信部１５０は、ブラウザ３００から受信した応募情報を応募情報格納部１１０に格納する。なお、応募情報は、端末３０の端末ＩＤを含む。
【００３４】
代理店サーバ１０の当選情報抽出部１６０は、応募情報格納部１１０に格納された複数の応募情報のなかから所定数を当選情報として抽出する。当選情報抽出部１６０は、抽出した当選情報を表示基礎情報生成部１９０に供給する。
【００３５】
懸賞実施主サーバ２０の詳細入力ページ送信部２３０は、ページ格納部２００に格納されている詳細入力ページを当選端末である端末３０に送信する。具体的には、詳細入力ページ送信部２３０は、リンク情報表示プログラム３１０によって端末３０上に表示されたリンク情報（詳細入力ページのＵＲＩに対応付けられた文言）が端末ユーザによって選択されたときに端末３０のブラウザ３００から送信される要求（詳細入力ページを端末３０に送信すべき旨の要求）に応じて、ブラウザ３００に詳細入力ページを送信する。なお、当選端末である端末３０上で動作するリンク情報表示プログラム３１０は、詳細入力ページに係るリンク情報を含むリンク関連情報をリンク関連情報送信部１７０から受信し、リンク情報（詳細入力ページのＵＲＩに対応付けられた文言）を表示画面に表示している。
【００３６】
当選端末である端末３０のブラウザ３００は、詳細入力ページを詳細入力ページ送信部２３０から受信した場合、詳細入力ページ送信部２３０から受信した詳細入力ページを表示画面に表示する。
【００３７】
懸賞実施主サーバ２０のユーザ詳細情報受信部２４０は、詳細入力ページを介して、ユーザ詳細情報を当選端末である端末３０のブラウザ３００から受信する。ユーザ詳細情報受信部２４０は、ブラウザ３００から受信したユーザ詳細情報をユーザ詳細情報格納部２１０に格納する。
【００３８】
以下、上記のように構成した懸賞システム５の動作について説明する。図３は、図１に示す懸賞システム５の動作の一例を示すフローチャートである。具体的には、図３（ａ）のフローチャートは、端末３０が懸賞実施主サーバ２０にリンク情報表示プログラム３１０を要求してから代理店サーバ１０にユーザ簡易情報が格納されるまでの動作を示す。図３（ｂ）のフローチャートは、懸賞実施主サーバ２０が懸賞基礎情報を受信してから端末３０にリンク情報（応募ページのＵＲＩに対応付けられた文言）が表示されるまでの動作を示す。なお、図３のフローチャートの左側は端末３０の動作、中央は代理店サーバ１０の動作、右側は懸賞実施主サーバ２０の動作を示す。図４は、ユーザ簡易情報の入力画面、および、ユーザ簡易情報格納部１００に格納されるユーザ簡易情報の一例を示す図である。図５は、リンク情報表示プログラム３１０によって表示されるリンク情報の一例を示す図である。
【００３９】
まず、図３（ａ）のフローチャートについて説明する。端末３０は、懸賞実施主サーバ２０にリンク情報表示プログラム３１０を要求する（ステップＳ１００）。端末３０からリンク情報表示プログラム３１０を要求された懸賞実施主サーバ２０は、リンク情報表示プログラム３１０を端末３０に送信する（ステップＳ１１０）。リンク情報表示プログラム３１０を受信した端末３０は、端末ユーザの指示により、または、自動的にリンク情報表示プログラム３１０のインストールを開始する。
【００４０】
端末３０は、リンク情報表示プログラム３１０のインストール時において、端末ユーザからユーザ簡易情報を取得する。例えば、端末３０は、図４（ａ）に示すユーザ簡易情報の入力画面を表示して、端末ユーザからユーザ簡易情報（図４（ａ）に示す例において性別および年齢）を取得する。また、端末３０は、インストール時において、端末３０のＭＡＣアドレスなどに基づいて端末ＩＤを自動生成する。端末３０は、端末ユーザによって入力されたユーザ簡易情報、および、自動生成された端末ＩＤを代理店サーバ１０のユーザ簡易情報受信部１４０に送信する（ステップＳ１２０）。
【００４１】
代理店サーバ１０のユーザ簡易情報受信部１４０は、ユーザ簡易情報と端末ＩＤとを端末３０から受信する（ステップＳ１３０）。ユーザ簡易情報受信部１４０は、端末３０から受信したユーザ簡易情報と端末ＩＤとを対応付けてユーザ簡易情報格納部１００に格納する（ステップＳ１４０）。例えば、ユーザ簡易情報受信部１４０は、図４（ｂ）に示すように、端末ＩＤとユーザ簡易情報とを対応付けて格納する。そして図３（ａ）に示すフローチャートは終了する。
【００４２】
続いて、図３（ｂ）のフローチャートについて説明する。懸賞実施主サーバ２０の懸賞基礎情報受信部２５０は、懸賞基礎情報を受信する（ステップＳ２００）。例えば、懸賞基礎情報受信部２５０は、図２（ａ）に示す懸賞基礎情報を懸賞実施主の社内端末から受信する。懸賞基礎情報受信部２５０は、受信した懸賞基礎情報を懸賞基礎情報送信部２６０に供給する。なお、図２（ａ）に示すＵＲＩ「ＷＷＷ．Ｘ・・・」は応募ページのＵＲＩ、ＵＲＩ「ＷＷＷ．Ｙ・・・」は詳細入力ページのＵＲＩである。
【００４３】
懸賞基礎情報送信部２６０は、懸賞基礎情報を懸賞基礎情報受信部２５０から取得する。懸賞基礎情報送信部２６０は、懸賞基礎情報受信部２５０から取得した懸賞基礎情報を代理店サーバ１０の懸賞基礎情報受信部１８０に送信する（ステップＳ２１０）。代理店サーバ１０の懸賞基礎情報受信部１８０は、懸賞基礎情報を懸賞基礎情報送信部２６０から受信する。懸賞基礎情報受信部１８０は、懸賞基礎情報送信部２６０から受信した懸賞基礎情報を懸賞基礎情報格納部１３０に格納する。
【００４４】
代理店サーバ１０の表示基礎情報生成部１９０は、懸賞基礎情報格納部１３０に格納された懸賞基礎情報、並びに、ユーザ簡易情報格納部１００に格納されたユーザ簡易情報および端末ＩＤに基づいて、応募ページへのリンクに関する表示基礎情報を生成する（ステップＳ２２０）。例えば、懸賞基礎情報格納部１３０に図２（ａ）に示す懸賞基礎情報が格納され、簡易情報格納部１００に図４（ｂ）に示すユーザ簡易情報および端末ＩＤが格納されているとする。この場合、表示基礎情報生成部１９０は、まず、懸賞基礎情報格納部１３０に格納された懸賞基礎情報内の応募ページ関連情報に含まれる応募条件情報（性別）と、ユーザ簡易情報格納部１００に格納されたユーザ簡易情報（性別）とを参照し、ユーザ簡易情報格納部１００に格納された端末ＩＤ「Ａ０５０」「Ａ０６２」「Ａ０８０」「Ａ０９５」「Ａ１４７」などのうち、応募条件情報（性別）「男性」に一致するユーザ簡易情報に対応付けられた端末ＩＤ「Ａ０５０」「Ａ０６２」「Ａ０９５」「Ａ１４７」などを抽出する。次に、表示基礎情報生成部１９０は、懸賞基礎情報に含まれる懸賞ＩＤ「Ｋ００１」、懸賞基礎情報内の応募ページ関連情報に含まれるＵＲＩ（応募ページのＵＲＩ）「ＷＷＷ．Ｘ・・・」、文言「Ｂが当たる！」および期限「１２月２５日」、並びに、抽出した端末ＩＤ「Ａ０５０」「Ａ０６２」「Ａ０９５」「Ａ１４７」などを対応付けて結合することにより、図２（ｂ）に示す表示基礎情報を生成する。表示基礎情報生成部１９０は、生成した表示基礎情報を表示基礎情報格納部１２０に格納する（ステップＳ２３０）。
【００４５】
端末３０上で動作するリンク情報表示プログラム３１０は、代理店サーバ１０のリンク関連情報送信部１７０にアクセスする（ステップＳ２４０）。リンク関連情報送信部１７０は、リンク情報表示プログラム３１０を介して端末３０からアクセスがあった場合に、当該端末３０の端末ＩＤに対応付けて表示基礎情報格納部１２０に格納されているリンク関連情報を当該端末３０のリンク情報表示プログラム３１０に送信する（ステップＳ２５０）。例えば、表示基礎情報格納部１２０に図２（ｂ）に示す表示基礎情報が格納されているとする。この場合、リンク関連情報送信部１７０は、端末ＩＤ「Ａ０５０」の端末３０のリンク情報表示プログラム３１０からアクセスがあったときは、端末ＩＤ「Ａ０５０」に対応付けて表示基礎情報格納部１２０に格納されている懸賞ＩＤ「Ｋ００１」、ＵＲＩ（応募ページのＵＲＩ）「ＷＷＷ．Ｘ・・・」、文言「Ｂが当たる！」および期限「１２月２５日」を含むリンク関連情報をリンク情報表示プログラム３１０に送信する。
【００４６】
リンク情報表示プログラム３１０は、リンク関連情報をリンク関連情報送信部１７０から受信した場合、リンク関連情報内のリンク情報に含まれるＵＲＩと文言とを対応付けるとともに、ＵＲＩに対応付けられた文言を端末３０の表示画面に表示する（ステップＳ２６０）。例えば、リンク情報表示プログラム３１０は、懸賞ＩＤ「Ｋ００１」、ＵＲＩ「ＷＷＷ．Ｘ・・・」、文言「Ｂが当たる！」および期限「１２月２５日」を含むリンク関連情報をリンク関連情報送信部１７０から受信した場合、ＵＲＩ「ＷＷＷ．Ｘ・・・」と文言「Ｂが当たる！」とを対応付けるとともに、図５（ａ）に示す表示画面の右下隅の領域５００に図５（ｂ）に示すように、「Ｂが当たる！」という文言５１０を表示する。そして図３（ｂ）に示すフローチャートは終了する。
【００４７】
以下、上記のように構成した懸賞システム５の他の動作について説明する。図６は、図１に示す懸賞システム５に関する他の動作の一例を示すフローチャートである。具体的には、図６（ａ）のフローチャートは、端末３０が懸賞実施主サーバ２０に応募ページを要求してから代理店サーバ１０に応募情報が格納されるまでの動作を示す。図６（ｂ）のフローチャートは、応募期限が終了した後に代理店サーバ１０が当落の抽選をしてから端末３０に詳細入力ページへのリンク情報が表示されるまでの動作を示す。図６（ｃ）のフローチャートは、懸賞実施主サーバ２０に詳細入力ページを要求してから懸賞実施主サーバ２０にユーザ詳細情報が格納されるまでの動作を示す。なお、図６のフローチャートの左側は端末３０の動作、中央は代理店サーバ１０の動作、右側は懸賞実施主サーバ２０の動作を示す。図７は、応募ページ、応募情報および当選情報の一例を示す図である。図８は、詳細入力ページの一例、および、ユーザ詳細情報格納部２１０に格納されるユーザ詳細情報の一例を示す図である。
【００４８】
まず、図６（ａ）のフローチャートについて説明する。図６（ａ）に示すフローチャートの開始時において、端末３０のリンク情報表示プログラム３１０は、図５（ｂ）に示す「Ｂが当たる！」という文言５１０を表示しているものとする。端末３０は、懸賞実施主サーバ２０の応募ページ送信部２２０に応募ページを要求する（ステップＳ３００）。具体的には、リンク情報表示プログラム３１０が表示画面に表示中の文言「Ｂが当たる！」が端末ユーザによって選択された場合に、ブラウザ３００は、文言「Ｂが当たる！」に対応付けられたＵＲＩ（応募ページのＵＲＩ）「ＷＷＷ．Ｘ・・・」などをリンク情報表示プログラム３１０から取得し、ＵＲＩ「ＷＷＷ．Ｘ・・・」により識別される応募ページを端末３０に送信すべき旨の要求を応募ページ送信部２２０に送信する。
【００４９】
応募ページを要求された応募ページ送信部２２０は、要求された応募ページをページ格納部２００から取得して端末３０のブラウザ３００に送信する（ステップＳ３１０）。端末３０のブラウザ３００は、応募ページ送信部２２０から受信した応募ページを表示する（ステップＳ３２０）。例えば、端末３０のブラウザ３００は、応募ページ送信部２２０から受信した図７（ａ）に示す応募ページを表示する。なお、図７（ａ）に示す応募ページは、端末ユーザから懸賞に係るキーワードの入力を受け付けるキーワード欄を含むとともに、キーワード欄に入力されたキーワードの正誤をブラウザ３００上で判断させるための仕組（例えば、Ｊａｖａ（登録商標）スクリプト）を備える。
【００５０】
端末３０のブラウザ３００は、表示している応募ページを介して応募情報をユーザから受け付けた場合に、受け付けた応募情報を代理店サーバ１０の応募情報受信部１５０に送信する（ステップＳ３３０）。例えば、ブラウザ３００は、図７（ａ）に示す応募ページを介して、懸賞ＩＤ、端末ＩＤおよびキーワードを端末ユーザから受け付けた場合に、キーワードが正しいか否かを判断し、キーワードが正しいときは、懸賞ＩＤおよび端末ＩＤを含む応募情報を応募情報受信部１５０に送信する。なお、懸賞ＩＤは、端末３０のリンク情報表示プログラム３１０が受信したリンク関連情報に含まれていたものが自動入力される。また、端末ＩＤは、端末３０がインストール時に自動生成したものが自動入力される。
【００５１】
端代理店サーバ１０の応募情報受信部１５０は、端末３０のブラウザ３００から応募情報を受信する（ステップＳ３４０）。応募情報受信部１５０は、ブラウザ３００から受信した応募情報を応募情報格納部１１０に格納する（ステップＳ３５０）。例えば、応募情報格納部１１０は、図７（ｂ）に示すように、懸賞ＩＤと端末ＩＤとを対応付けて格納する。そして図６（ａ）に示すフローチャートは終了する。
【００５２】
続いて、図６（ｂ）のフローチャートについて説明する。図６（ｂ）に示すフローチャートの開始時において、応募情報格納部１１０は、図７（ｂ）に示す応募情報を格納しているものとする。
【００５３】
代理店サーバ１０の当選情報抽出部１６０は、応募期間の終了後に、応募情報格納部１１０に格納された応募情報のなかから所定数を当選情報として抽出する（ステップＳ４００）。例えば、当選情報抽出部１６０は、図７（ｂ）に示す応募情報から図７（ｃ）に示す当選情報を抽出する。なお、当選情報抽出部１６０は、応募期間の終了後として、例えば、懸賞基礎情報格納部１３０に格納された懸賞基礎情報を参照し、応募情報に含まれる懸賞ＩＤに対応付けられた応募ページ関連情報内の期限の翌日に、当選情報を抽出する。当選情報抽出部１６０は、抽出した当選情報を表示基礎情報生成部１９０に供給する。
【００５４】
表示基礎情報生成部１９０は、懸賞基礎情報格納部１３０に格納された懸賞基礎情報、および、当選情報抽出部１６０から取得した当選情報に基づいて、詳細入力ページへのリンクに関する表示基礎情報を生成する（ステップＳ４２０）。例えば、懸賞基礎情報格納部１３０に図２（ａ）に示す懸賞基礎情報が格納されているものとする。この場合、表示基礎情報生成部１９０は、懸賞基礎情報に含まれる懸賞ＩＤ「Ｋ００１」、懸賞基礎情報内の詳細入力ページ関連情報に含まれるＵＲＩ（詳細入力ページのＵＲＩ）「ＷＷＷ．Ｙ・・・」、文言「Ｂが当選！！」および期限「１月２５日」、並びに、当選情報抽出部１６０から取得した当選情報に含まれる端末ＩＤ「Ａ０９５」などを対応付けて結合することにより、図２（ｃ）に示す表示基礎情報を生成する。表示基礎情報生成部１９０は、生成した表示基礎情報を表示基礎情報格納部１２０に格納する（ステップＳ４３０）。
【００５５】
端末３０上で動作するリンク情報表示プログラム３１０は、代理店サーバ１０のリンク関連情報送信部１７０にアクセスする（ステップＳ４４０）。リンク関連情報送信部１７０は、リンク情報表示プログラム３１０を介して端末３０からアクセスがあった場合に、当該端末３０の端末ＩＤに対応付けて表示基礎情報格納部１２０に格納されているリンク関連情報を当該端末３０のリンク情報表示プログラム３１０に送信する（ステップＳ４５０）。例えば、表示基礎情報格納部１２０に図２（ｃ）に示す懸賞基礎情報が格納されているとする。この場合、リンク関連情報送信部１７０は、端末ＩＤ「Ａ０９５」の端末３０のリンク情報表示プログラム３１０からアクセスがあったときは、端末ＩＤ「Ａ０９５」に対応付けて表示基礎情報格納部１２０に格納されている懸賞ＩＤ「Ｋ００１」、ＵＲＩ（詳細入力ページのＵＲＩ）「ＷＷＷ．Ｙ・・・」、文言「Ｂが当選！！」および期限「１月２５日」を含むリンク関連情報をリンク情報表示プログラム３１０に送信する。
【００５６】
リンク情報表示プログラム３１０は、リンク関連情報をリンク関連情報送信部１７０から受信した場合、リンク関連情報内のリンク情報に含まれるＵＲＩと文言とを対応付けるとともに、ＵＲＩに対応付けられた文言を端末３０の表示画面に表示する（ステップＳ４６０）。例えば、リンク情報表示プログラム３１０は、懸賞ＩＤ「Ｋ００１」、ＵＲＩ「ＷＷＷ．Ｙ・・・」、文言「Ｂが当選！！」および期限「１月２５日」を含むリンク関連情報をリンク関連情報送信部１７０から受信した場合、ＵＲＩ「ＷＷＷ．Ｙ・・・」と文言「Ｂが当選！！」とを対応付けるとともに、図５（ａ）に示す表示画面の右下隅の領域５００に図５（ｃ）に示すように、「Ｂが当選！！」という文言５２０を表示する。そして図６（ｂ）に示すフローチャートは終了する。
【００５７】
続いて、図６（ｃ）のフローチャートについて説明する。図６（ｃ）に示すフローチャートの開始時において、端末３０のリンク情報表示プログラム３１０は、図５（ｃ）に示す「Ｂが当選！！」という文言５２０を表示しているものとする。端末３０は、懸賞実施主サーバ２０の詳細入力ページ送信部２３０に詳細入力ページを要求する（ステップＳ５００）。具体的には、リンク情報表示プログラム３１０が表示画面に表示中の文言「Ｂが当選！！」が端末ユーザによって選択された場合に、ブラウザ３００は、文言「Ｂが当選！！」に対応付けられたＵＲＩ（詳細入力ページのＵＲＩ）「ＷＷＷ．Ｙ・・・」などをリンク情報表示プログラム３１０から取得し、ＵＲＩ「ＷＷＷ．Ｙ・・・」により識別される詳細入力ページを端末３０に送信すべき旨の要求を詳細入力ページ送信部２３０に送信する。
【００５８】
応募ページを要求された詳細入力ページ送信部２３０は、要求された詳細入力をページ格納部２００から取得して端末３０のブラウザ３００に送信する（ステップＳ５１０）。端末３０のブラウザ３００は、詳細入力ページ送信部２３０から受信した詳細入力ページを表示する（ステップＳ５２０）。例えば、端末３０のブラウザ３００は、詳細入力ページ送信部２３０から受信した図８（ａ）に示す詳細入力ページを表示する。
【００５９】
端末３０のブラウザ３００は、表示している詳細入力ページを介してユーザ詳細情報をユーザから受け付けた場合に、受け付けたユーザ詳細情報を懸賞実施主サーバ２０のユーザ詳細情報受信部２４０に送信する（ステップＳ５３０）。例えば、ブラウザ３００は、図８（ａ）に示す詳細入力ページを介して、懸賞ＩＤ、端末ＩＤ、性別、年齢、氏名、住所、電話番号などをユーザから受け付けた場合に、懸賞ＩＤ、端末ＩＤとともに、性別、年齢、氏名、住所および電話番号などを含むユーザ詳細情報をユーザ詳細情報受信部２４０に送信する。なお、懸賞ＩＤは、端末３０のリンク情報表示プログラム３１０が受信したリンク関連情報に含まれていたものが自動入力される。また、端末ＩＤは、端末３０がインストール時に自動生成したものが自動入力される。また、性別および年齢は、インストール時に入力されたものが自動入力されてもよい。
【００６０】
懸賞実施主サーバ２０のユーザ詳細情報受信部２４０は、端末３０のブラウザ３００から懸賞ＩＤ、端末ＩＤとともに、性別、年齢、氏名、住所および電話番号などを含むユーザ詳細情報を受信する（ステップＳ５４０）。ユーザ詳細情報受信部２４０は、ブラウザ３００から受信したこれらの情報を対応付けてユーザ詳細情報格納部２１０に格納する（ステップＳ５５０）。例えば、ユーザ詳細情報格納部２１０は、図８（ｂ）に示すように、懸賞ＩＤと端末ＩＤとユーザ詳細情報とを対応付けて格納する。そして図６（ｃ）に示すフローチャートは終了する。
【００６１】
以上、本実施形態によれば、懸賞の応募に先立って、端末ＩＤと第三者が個人を特定し得ないユーザ簡易情報（性別情報および年齢情報）を収集し、懸賞の応募時には、応募者から応募情報（懸賞ＩＤおよび端末ＩＤ）を収集し、その後、応募情報から抽選された当選情報に基づいて個人情報に該当するユーザ詳細情報（氏名、住所および電話番号などを含む情報）を収集するので、応募者全員でなく当選者のみから個人情報（ユーザ詳細情報）を収集することができる。これにより、懸賞の実施に際して収集する個人情報（ユーザ詳細情報）の件数を最小限に抑えることができるので、個人情報（ユーザ詳細情報）の外部流出に係るコストを最小限に抑えることができる。特に、本実施形態では、代理店側がユーザ簡易情報および応募情報を管理するので、懸賞実施主はユーザ簡易情報および応募情報を管理するコストも抑えることができる。
【００６２】
更に、本実施形態によれば、懸賞の応募期間の終了後に予定数（所定数）の当選情報を抽出するので、応募期間中に当選者数が予定数に達するという事態を回避することができる。これにより、懸賞の実施期間を予定通り終了させることができる。また、懸賞の応募に先立って収集したユーザ簡易情報（性別情報および年齢情報）に基づいて、懸賞の応募ページを特定の者（懸賞の応募条件と一致するユーザ簡易情報を持つ端末ユーザ）のみに送信することができる。これにより、懸賞への応募を特定の者（懸賞の応募条件と一致するユーザ簡易情報を持つ端末ユーザ）に制限することもできる。
【００６３】
なお、懸賞の実施期間を予定通り終了させることができることにより、例えば、懸賞実施期間を告知すること、懸賞以外の他の販促活動の実施期間と懸賞実施期間とを一致させることができるので、より効率的に販促活動をすることができるようになる。また、懸賞への応募を特定の者に制限するができることにより、例えば、特定の者のみに制限した懸賞である旨を特定の者に予め認識させることができる。このため、特定の者による懸賞への応募数を増加させることができ、より効率的に販促活動をすることができるようになる。
【００６４】
なお、本実施形態において、端末３０は、懸賞実施主サーバ２０からリンク情報表示プログラム３１０を受信するが、懸賞実施主サーバ２０に代えて代理店サーバ１０からリンク情報表示プログラム３１０を受信してもよい。
【００６５】
また、本実施形態において、ページ格納部２００、応募ページ送信部２２０および詳細入力ページ送信部２３０は懸賞実施主サーバ２０内に存在するが、ページ格納部２００、応募ページ送信部２２０および詳細入力ページ送信部２３０が代理店サーバ１０内に存在してもよい。
【００６６】
また、本実施形態において懸賞システム５は、別体である代理店サーバ１０および懸賞実施主サーバ２０から構成されているが、１つのサーバから構成されてもよい。
【００６７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００６８】
【図１】本実施形態の懸賞システムの構成例を示す図である。
【図２】懸賞基礎情報、表示基礎情報の一例を示す図である。
【図３】図１に示す懸賞システムの動作の一例を示すフローチャートである。
【図４】ユーザ簡易情報の入力画面、および、ユーザ簡易情報格納部に格納されるユーザ簡易情報の一例を示す図である。
【図５】リンク情報表示プログラムによって表示されるリンク情報の一例を示す図である。
【図６】図１に示す懸賞システムに関する他の動作の一例を示すフローチャートである。
【図７】応募ページ、応募情報および当選情報の一例を示す図である。
【図８】詳細入力ページの一例、および、ユーザ詳細情報格納部に格納されるユーザ簡易情報の一例を示す図である。
【符号の説明】
【００６９】
５  懸賞システム
１０  代理店サーバ
２０  懸賞実施主サーバ
３０  端末
１００  ユーザ簡易情報格納部
１１０  応募情報格納部
１２０  表示基礎情報格納部
１３０  懸賞基礎情報格納部
１４０  ユーザ簡易情報受信部
１５０  応募情報受信部
１６０  当選情報抽出部
１７０  リンク関連情報送信部
１８０  懸賞基礎情報受信部
１９０  表示基礎情報生成部
２００  ページ格納部
２１０  ユーザ詳細情報格納部
２２０  応募ページ送信部
２３０  詳細入力ページ送信部
２４０  ユーザ詳細情報受信部
２５０  懸賞基礎情報受信部
２６０  懸賞基礎情報送信部
３００  ブラウザ
３１０  リンク情報表示プログラム
【図１】
2009086778.tif 000003
【図２】
2009086778.tif 000004
【図３】
2009086778.tif 000005
【図４】
2009086778.tif 000006
【図５】
2009086778.tif 000007
【図６】
2009086778.tif 000008
【図７】
2009086778.tif 000009
【図８】
2009086778.tif 000010